(57)【特許請求の範囲】
【請求項１】
建物開口の枠表面に取り付けられ扉より突出するデッドボルトの進入するストライク穴の穿設されたストライク板と、
前記ストライク板に覆われ、前記枠表面に凹設される凹状箱部を有し上下の固定鍔によって前記枠表面に固定されるトロヨケと、
前記ストライク板に固定されるとともに前記凹状箱部に遊嵌される可動コア部材と、
該可動コア部材の両側部に穿設されたピン係合穴と、
前記凹状箱部の両側部に固定されて該ピン係合穴に遊嵌され前記可動コア部材の前記凹状箱部からの脱落を規制するとともに前記可動コア部材と前記凹状箱部の底板部との間に形成される少なくとも後退間隙を縮める方向への前記可動コア部材の移動を可能とする脱落規制ピンと、
前記ストライク板が前記枠表面から浮上することで該ストライク板と前記枠表面とに形成された間隙と、
前記凹状箱部の底板部に対向配置し、前記可動コア部材の上下に形成される各係止部に係着され、前記後退間隙に挟入されることで前記ストライク板を浮上させるとともに該後退間隙を縮める方向へ変形可能となった上下一対の圧縮支持部材と、
を具備するとともに、
前記圧縮支持部材は樹脂材料からなり、
前記可動コア部材の係止部に係着する係止爪部を備える基端部と、
開脚状に二股に延出形成され、前記トロヨケの底板部に斜めに延出して前記後退間隙に配置される先端部とを有し、
各先端部には幅狭で薄厚に形成される鰭状突起が延設され、該鰭状突起先端の曲面状部が前記トロヨケ底板部に当接し、
前記後退間隙を縮める方向へ前記可動コア部材を移動可能に保持し、前記ストライク板を前記枠表面から浮上させ前記間隙を維持していることを特徴とする対震ストライク。
【請求項２】
前記ストライク板の上下縁部に、前記間隙を縮小する方向に折り曲げられた傾斜部が設けられたことを特徴とする請求項１記載の対震ストライク。
【請求項３】
前記ストライク板の前記デッドボルトの衝接する側の縦縁部に、前記間隙を覆う衝接座部が前記ストライク板に略垂直に折り曲げられて形成されたことを特徴とする請求項１又は２記載の対震ストライク。
【発明の詳細な説明】
【技術分野】
【０００１】
本発明は、枠表面に間隙を有し浮上して取り付けられたストライク板が、地震などによる枠変形時に、間隙を縮小する方向に確実に変位可能となる対震ストライクに関する。
【背景技術】
【０００２】
一般に、マンションなどにおいては、建物開口の縦枠にストライクを取付け、このストライクに扉側に設けた施解錠装置のデッドボルトを進退係脱させることにより、施錠や解錠を行う。近年では、地震などの災害発生時に扉を確実に開放させて室外への避難を可能とするため、扉と縦枠の間に所定のクリアランス（１３ｍｍ程度）を設けることが推奨されている。すなわち、地震発生時には、縦枠周辺の壁が破壊され、縦枠が変形して扉に接触する外力が発生するので、ストライクは、所定以上の外力が加えられたとき、上記クリアランスが確保される方向に変形可能となることが望ましい。このように、所定以上の外力が発生したとき、ストライクが変形すれば、縦枠と扉の間に所定の隙間を確保でき、しかもストライクの係止孔に係止されている扉側のデッドボルトを離脱させることもできるので、扉の開放が補償されて室外への避難が容易となる。
【０００３】
この種のストライクとしては、例えば特許文献１に開示される扉用ストライクが知られている。図９に示すように、この扉用ストライク１は、デッドボルトの係止孔３を形成した本体壁部５と、その上下両側に一体に設けた連結片７，７と、これら連結片７を介して本体壁部５と平行な段状に形成され、縦枠９の内側面に固定する固定片１１，１１とを備えており、これらは鋼板をプレス加工して形成される。そして、縦枠９の内面に各固定片１１を固定ビスなどで固定して、本体壁部５の係止孔３に扉側のデッドボルトを係脱させることにより施錠や解錠を行う。
【０００４】
この扉用ストライク１によれば、地震発生時に、縦枠周辺の壁が破壊され、縦枠が変形して扉に接触する外力が発生すると、本体壁部５が例えば扉木口に表出する錠箱フロントパネルに押しつけられ、連結片７，７の傾斜角度が小さくなる方向に潰れ、扉用ストライク１が大きな力によって扉に接触し、扉の開放が不能となる事態を回避できる。このような効果は、扉用ストライク１が扉の室内面に取り付けられる面付け錠タイプの場合においても同様に得ることができる。
【特許文献１】特開平１１−６２３３７号公報
【発明の開示】
【発明が解決しようとする課題】
【０００５】
しかしながら、上記した従来のドア用ストライク１は、鋼板を折曲加工或いはプレス加工して、本体壁部５を傾斜連結片７，７によって嵩上げした板金部材であるため、側面が開口１３となり、使用者に軟弱な感じを与えて外観も悪い問題があった。このような見栄えの悪さは、ドア用ストライク１がドアの室内面に取り付けられる面付け錠タイプの場合、特に顕著となった。これに対し、開口１３を塞ぐ側壁部をプレス加工にて折曲形成すれば、開口１３は覆え、デッドボルト等の表出はなくなるものの、側壁部により強度が高まり、ドア用ストライク１が変形し難くなる新たな問題を招いた。また、ドア用ストライクを潰す方向の外力が加わった際、折曲加工にて形成した側壁部が進入可能となる切り込みをトロヨケ等に設けておく構造も考えられるが、構造が複雑となるとともに、不規則方向の変形が生じた場合には切り込みに側壁部が進入不能となり、結局、ドア用ストライク１が変形し難くなることが危惧された。
【０００６】
本発明は上記状況に鑑みてなされたもので、嵩上げされたストライク板が、地震などによる枠変形時に、確実に変位可能となる対震ストライクを提供し、もって、災害時における扉開放機能の信頼性向上を図ることを目的とする。
【課題を解決するための手段】
【０００７】
次に、上記の課題を解決するための手段を、実施の形態に対応する図面を参照して説明する。
本発明の請求項１記載の対震ストライクは、建物開口の枠表面３３に取り付けられ扉より突出するデッドボルトの進入するストライク穴３７の穿設されたストライク板２１と、
前記ストライク板２１に覆われ、前記枠表面３３に凹設される凹状箱部３９を有し上下の固定鍔４１，４３によって前記枠表面３３に固定されるトロヨケ２３と、
前記ストライク板２１に固定されるとともに前記凹状箱部３９に遊嵌される可動コア部材２５と、
該可動コア部材２５の両側部に穿設されたピン係合穴２７と、
前記凹状箱部３９の両側部に固定されて該ピン係合穴２７に遊嵌され前記可動コア部材２５の前記凹状箱部３９からの脱落を規制するとともに前記可動コア部材２５と前記凹状箱部３９の底板部３９ａとの間に形成される少なくとも後退間隙３６を縮める方向への前記可動コア部材２５の移動を可能とする脱落規制ピン２９と、
前記ストライク板２１が前記枠表面３３から浮上することで該ストライク板２１と前記枠表面３３とに形成された間隙３５と、
前記凹状箱部３９の底板部３９ａに対向配置し、前記可動コア部材２５の上下に形成される各係止部５３に係着され、前記後退間隙３６に挟入されることで前記ストライク板２１を浮上させるとともに該後退間隙３６を縮める方向へ変形可能となった上下一対の圧縮支持部材３１，３１と、
を具備するとともに、
前記圧縮支持部材３１は樹脂材料からなり、
前記可動コア部材２５の係止部５３に係着する係止爪部３１ｂを備える基端部と、
開脚状に二股に延出形成され、前記トロヨケ２３の底板部３９ａに斜めに延出して前記後退間隙３６に配置される先端部３１ａとを有し、
各先端部３１ａには幅狭で薄厚に形成される鰭状突起３２が延設され、該鰭状突起３２先端の曲面状部３２ａが前記トロヨケ底板部３９ａに当接し、
前記後退間隙３６を縮める方向へ前記可動コア部材２５を移動可能に保持し、前記ストライク板２１を前記枠表面３３から浮上させ前記間隙３５を維持していることを特徴とする。
【０００８】
この対震ストライクでは、縦枠が変形して扉と接触する方向の外力が発生し、ストライク板２１が例えば扉木口に押しつけられると、枠表面３３に間隙３５を有し浮上して取り付けられたストライク板２１が、間隙３５を縮小する方向に変位する。
【０００９】
また、後退間隙３６に圧縮支持部材３１が挟入されることで、ストライク板２１が浮上し、枠表面３３とストライク板２１との間に間隙３５が保持される。縦枠が変形して扉に接触する方向の外力が発生し、ストライク板２１が例えば扉木口に押しつけられると、圧縮支持部材３１が潰れ、ストライク板２１が、間隙３５を縮小する方向に変位する。
【００１０】
そして、開脚状に二股に延出形成された先端部３１ａに、さらに延設される鰭状突起３２を備えることで、後退間隙３６に配置される圧縮支持部材３１の圧縮変形が行われやすく、ストライク板２１と枠表面３３との間隙３５を維持しつつ、変形が起きた場合の可動コア部材２５の移動に支障なく後退間隙３６を縮める方向へと移動可能とする。なお、この圧縮支持部材３１によれば、トロヨケ底板部３９ａとの接触が、鰭状突起３２先端の曲面状部３２ａであることから、線接触状態であり、接触面積を小さくしつつ支持し、且つ摺動を容易なものとしている。また、圧縮支持部材３１が樹脂材料からなり、均質な材料によって一体成形可能となる。
【００１１】
請求項２記載の対震ストライクは、前記ストライク板２１の上下縁部に、前記間隙３５を縮小する方向に折り曲げられた傾斜部７１が設けられたことを特徴とする。
【００１２】
この対震ストライクでは、ストライク板２１の上下縁部に、間隙３５を縮小する方向に折り曲げた傾斜部７１が設けられ、ストライク板２１と枠表面３３とに間隙３５を確保しながら、間隙３５が小さく見えるようになる。また、ストライク板２１の後退間隙３６を縮める方向への変位も傾斜部７１の変形により許容可能となる。
【００１３】
請求項３記載の対震ストライクは、前記ストライク板２１の前記デッドボルトの衝接する側の縦縁部７３に、前記間隙３５を覆う衝接座部７５が前記ストライク板２１に略垂直に折り曲げられて形成されたことを特徴とする。
【００１４】
この対震ストライクでは、ストライク板２１のラッチボルト衝接側の縦縁部７３に、枠側面へ回り込むように折り曲げられて間隙３５を覆う衝接座部７５が形成され、ストライク板２１と枠表面３３とに間隙３５を確保しながら、間隙３５が覆われる。
【発明の効果】
【００１５】
本発明に係る請求項１記載の対震ストライクによれば、枠表面に取り付けられるストライク板と、凹状箱部を有するトロヨケと、ストライク板に固定され凹状箱部に遊嵌される可動コア部材と、可動コア部材の両側部に穿設されたピン係合穴と、凹状箱部の両側部に固定される脱落規制ピンと、ストライク板が枠表面から浮上することでストライク板と枠表面とに形成された間隙とを備えたので、縦枠が変形して扉に接触する方向の外力が発生し、ストライク板が例えば扉木口に押しつけられると、可動コア部材が後退間隙を縮める方向に移動し、ストライク板が、間隙を縮小する方向に円滑に移動して変位する。この結果、災害時における扉開放機能の信頼性を向上させることができる。
また、トロヨケは、ストライク板に覆われていることから、外観が見劣りせず、可動コア部材等の機構部分を覆い隠すことが可能となる。
【００１６】
また、この対震ストライクによれば、可動コア部材に係着され後退間隙に挟入されることでストライク板を浮上させるとともに後退間隙を縮める方向へ変形可能となった圧縮支持部材を設けたので、ストライク板を浮上させ、枠表面とストライク板との間に間隙を形成することができる。また、縦枠が変形して扉に接触する方向の外力が発生し、ストライク板が例えば扉木口に押しつけられると、圧縮支持部材が潰れ、ストライク板を間隙縮小方向に変位させることができる。
【００１７】
さらに、この対震ストライクによれば、圧縮支持部材が樹脂材料からなるので、均質な材料によって一体成形でき、板金材料の同部材に比べ、圧縮変形に対する耐力のバラツキをなくすことができる。
また、この対震ストライクでは、開脚状に二股に延出形成された先端部に、さらに延設される鰭状突起を備えることで、後退間隙に配置される圧縮支持部材の圧縮変形が行われやすく、ストライク板と枠表面との間隙を維持しつつ、変形が起きた場合の可動コア部材の移動に支障なく後退間隙を縮める方向へと移動可能とする。さらに、この圧縮支持部材によれば、トロヨケ底板部との接触が、鰭状突起先端の曲面状部であることから、線接触状態であり、接触面積を小さくしつつ支持し、且つ変形による摺動を容易なものとしており、可動コア部材の移動を妨げることがないとともに、これら鰭状突起の弾性反発力によって、ストライク板と枠表面との間隙を保持でき、通常状態時のストライク板の見栄えを低下させることなく、ストライク板としての機能をも減退させることがない。
【００１８】
請求項２記載の対震ストライクによれば、ストライク板の上下縁部に、間隙を縮小する方向に折り曲げた傾斜部を設けたので、ストライク板と枠表面とに間隙を確保しながら、この間隙を小さくして見栄えを良くできるとともに、ストライク板の後退間隙を縮める方向への変位も傾斜部の変形により許容可能にできる。
【００１９】
請求項３記載の対震ストライクによれば、ストライク板のデッドボルト衝接側の縦縁部に、間隙を覆う衝接座部を形成したので、ストライク板と枠表面とに間隙を確保しながら、この間隙を覆って見栄えを良くすることができ、同時に、デッドボルトの衝接部をストライク板と一体に形成できる。
【発明を実施するための最良の形態】
【００２０】
以下、本発明に係る対震ストライクの好適な実施の形態を図面を参照して詳細に説明する。
図１は本発明に係る本発明に係る対震ストライクの外観斜視図、図２は図１に示した対震ストライクの正面図、図３はストライク板を外した対震ストライクの正面図、図４は図２のＡ−Ａ断面図、図５は図４のＢ−Ｂ断面図、図６は圧縮支持部材の斜視図である。
本実施の形態による対震ストライク１００は、ストライク板２１と、トロヨケ２３と、可動コア部材２５（図４参照）と、ピン係合穴２７と、脱落規制ピン２９と、圧縮支持部材３１とを主要な構成要件として有している。
【００２１】
ストライク板２１は、図示しない建物開口の枠表面３３に間隙３５を有し浮上して取り付けられている。この間隙３５は、後述するように、ストライク板２１に固定された可動コア部材２５が、圧縮支持部材３１を介してトロヨケ２３に支持されることで形成されている。ストライク板２１にはストライク穴３７が穿設され、ストライク穴３７は不図示の扉より突出するデッドボルトが進入する。
【００２２】
トロヨケ２３は、中央部に凹状箱部３９を有し、この凹状箱部３９が枠表面３３に凹設される。凹状箱部３９の上下には図３に示す固定鍔４１，４３が形成され、固定鍔４１，４３は固定穴４５，４５に挿通されたネジ４７，４７によって枠表面３３に固定される。つまり、固定鍔４１，４３が枠表面３３に固定されたトロヨケ２３は、枠表面３３と略同一平面に、図３に示すように、凹状箱部３９の開口部４９を開放させる。この開口部４９は、ストライク板２１によって覆われ、図１に示すように、ストライク穴３７のみを介して内部が表出される。
【００２３】
図４に示すように、ストライク板２１の裏面側には、スペーサ板５１を介して可動コア部材２５が固定される。可動コア部材２５の上下には開口を相互に対向させたコ字形状の係止部５３，５３が形成され、係止部５３，５３は圧縮支持部材３１，３１を係着する。スペーサ板５１、可動コア部材２５は、ストライク穴３７と一致する図３に示す開口５５を形成している。係止部５３，５３にはストライク板２１と平行な固定板５７，５７が形成され、固定板５７，５７は雌ネジ５９，５９を有している。ストライク板２１、スペーサ板５１、可動コア部材２５は、ストライク板２１に挿通されたネジ６１，６１が雌ネジ５９，５９に螺合されることで一体固定されている。ストライク板２１に一体固定された可動コア部材２５は、トロヨケ２３の凹状箱部３９内に可動自在に遊嵌されている。
【００２４】
可動コア部材２５は、係止部５３，５３の両側部に、ピン係合穴２７，２７を穿設している。したがって、ピン係合穴２７は、図３に示すように、上下左右の合計４箇所に形成されている。ピン係合穴２７は、脱落規制ピン２９を、図４の上下、右方向へ相対移動可能、実質的にはトロヨケ２３に固定された脱落規制ピン２９に対して可動コア部材２５が移動可能となるように、矩形状に形成される。ここで、脱落規制ピン２９が図４に示すピン係合穴２７の左縁部２７ａに当接しているのは、可動コア部材２５、ストライク板２１の飛び出し（脱落）を規制するためである。
【００２５】
脱落規制ピン２９は、頭部が、トロヨケ２３における凹状箱部３９の上下両側部に固定されている。つまり、４本の脱落規制ピン２９が固定される。頭部の固定された脱落規制ピン２９は、上記のように、先端をピン係合穴２７内に配置し、可動コア部材２５を上下、奥側へ移動可能にしつつ、トロヨケ２３からの脱落を規制している。図４に示すように、可動コア部材２５の係止部５３，５３と、トロヨケ２３の底板部３９ａとの間には、後退間隙３６が形成されている。可動コア部材２５は、この後退間隙３６を縮める方向へ後退可能となっている。つまり、脱落規制ピン２９は、後退間隙３６を縮める方向へ可動コア部材２５を移動可能に保持している。
【００２６】
圧縮支持部材３１は、先端部３１ａをトロヨケ２３の底板部３９ａに当接方向へ斜めに延設しつつ、基端部の係止爪部３１ｂを係止部５３，５３の係止片５３ａに係着している。つまり、圧縮支持部材３１は、可動コア部材２５に係着されて、底板部３９ａに当接するとともに、後退間隙３６を縮める方向へ変形可能となっている。この圧縮支持部材３１は、ポリアセタール樹脂（商品名：ジュラコン）等の樹脂材料からなることが好ましい。圧縮支持部材３１が樹脂材料からなることで、均質な材料によって一体成形でき、板金材料の同部材、例えば板バネやコイルバネ等に比べ、圧縮変形に対する耐力のバラツキをなくすことができる。また、圧縮支持部材３１は、その素材からバネ性を有するとともに、先端部３１ａは開脚状に二股に延設形成されて、それぞれの先端部には、幅狭で薄厚に形成される鰭状突起３２が延設されている。各鰭状突起３２は、その先端が、曲面状部３２ａを形成し、すなわち先端縁がＲ状に形成され、底板部３９ａに線接触状態となっており、接触面積を小さく設定している。このことから、各先端部３１ａが開く方向へ摺動しやすく、スムースに変形可能となっている。これら鰭状突起３２により、その弾性反発力でストライク板２１と枠表面３３との間隙３５を維持しつつ、通常状態時のストライク板２１の見栄えを低下させることなく、ストライク板２１としての機能を減退させずに、変形が起きた場合の可動コア部材２５の移動に支障なく後退間隙３６を縮める方向へと移動可能となる。
【００２７】
可動コア部材２５の上下部には縦方向支持部材６３，６３が設けられている。縦方向支持部材６３は、基端６３ａがネジ６５によって可動コア部材２５に固定されるとともに、先端６３ｂが凹状箱部３９の内部上面６７、内部下面６９に当接して、可動コア部材２５を凹状箱部３９内の所定上下位置に配置させる。これにより、可動コア部材２５の上下部と凹状箱部３９との間隙が変化すると、縦方向支持部材６３，６３が変形して、間隙の増減が吸収される。したがって、縦方向支持部材６３は、可動コア部材２５が凹状箱部３９の内部上面６７、或いは内部下面６９に圧接することによる可動コア部材２５の後退方向への変位不能を防止している。
【００２８】
ストライク板２１の上下縁部に、間隙３５を縮小する方向に折り曲げられた傾斜部７１が設けられている。これにより、ストライク板２１と枠表面３３とに間隙３５を確保しながら、この間隙３５を小さくして見栄えを良くできるとともに、ストライク板２１の後退間隙３５を縮める方向への変位も傾斜部７１の変形により許容可能にしている。
【００２９】
また、ストライク板２１におけるラッチボルトの衝接する側の縦縁部７３には衝接座部７５が設けられている。衝接座部７５は、図５に示すように、ストライク板２１に略垂直に折り曲げられて形成され、間隙３５を覆う。これにより、ストライク板２１と枠表面３３とに間隙３５を確保しながら、この間隙３５を覆って見栄えを良くすることができる。また同時に、ラッチボルトの衝接部をストライク板２１と一体に形成できる。
【００３０】
次に、上記した対震ストライクの作用を説明する。
図７はストライク板が後退間隙を縮める方向へ変位した作用説明図、図８はストライク板が後退間隙を縮める方向及び下方向へ変位した作用説明図である。
上記の対震ストライク１００の取り付けられた枠が、地震等により変形し、ストライク板２１と不図示の扉木口との間隔を狭める変形が生じ、ストライク板２１に枠表面３３へ接近する方向の圧力が加わると、先ず、圧縮支持部材３１先端部３１ａの鰭状突起３２が変形し、すなわち斜めに底板部３９ａに当接している鰭状突起３２が、さらに倒れ接近する方向へ変形して、これによりストライク板２１が枠表面３３へ接近する。
【００３１】
この状態で、間隙３５は消失し、傾斜部７１が枠表面３３に接触した状態となる。さらに、ストライク板２１に枠表面３３へ接近する方向の圧力が加わると、図７に示すように、圧縮支持部材３１が開脚状態で潰れ、同時に、ストライク板の傾斜部７１が、傾斜角度を小さくする方向に変形する。この移動は、ストライク板２１裏面が枠表面３３に接触するまで可能となる。つまり、ストライク板２１は、間隙３５の距離分、移動が可能となる。可動コア部材２５の後退と同時に、上下の縦方向支持部材６３，６３は、凹状箱部３９の内部上面６７、内部下面６９を先端６３ｂが摺動することとなる。これらの結果、脱落規制ピン２９と、ピン係合穴２７の左縁部２７ａには隙間ｓが形成されることとなる。
【００３２】
また、トロヨケ２３とストライク板２１とに、上下方向の相対圧力、例えば図８に示す例では可動コア部材２５が下がる方向の変形が加わると、下部の縦方向支持部材６３が変形するとともに、上部の縦方向支持部材６３の先端６３ｂが内部上面６７から離反して、トロヨケ２３と可動コア部材２５とに生じた上下方向の相対変位が吸収されることとなる。つまり、圧接することがない。
【００３３】
したがって、本実施の形態による対震ストライク１００によれば、枠表面３３に取り付けられるストライク板２１と、凹状箱部３９を有するトロヨケ２３と、ストライク板２１に固定され凹状箱部３９に遊嵌される可動コア部材２５と、可動コア部材２５の両側部に穿設されたピン係合穴２７と、凹状箱部３９の両側部に固定される脱落規制ピン２９と、可動コア部材２５に係着される圧縮支持部材３１と、ストライク板２１と枠表面３３とに形成された間隙３５とを備えたので、縦枠が変形して扉に接触する方向の外力が発生し、ストライク板２１が例えば扉木口に押しつけられると、圧縮支持部材３１が潰れ、枠表面３３に間隙３５を有し浮上して取り付けられたストライク板２１が、間隙３５を縮小する方向に変位する。この結果、ストライク板２１の変位を円滑にし、災害時における扉開放機能の信頼性を向上させることができる。また、圧縮支持部材３１は、トロヨケ底板部３９ａとの接触を、鰭状突起３２の曲面状部３２ａとして構成していることから、互いの接触状態が線接触であり、接触面積を小さく設定していることから、変位方向へ容易に滑り、圧縮支持部材３１は開脚変形し、潰れ、ストライク板２１の変位を妨げることがない。
【図面の簡単な説明】
【００３４】
【図１】本発明に係る本発明に係る対震ストライクの外観斜視図である。
【図２】図１に示した対震ストライクの正面図である。
【図３】ストライク板を外した対震ストライクの正面図である。
【図４】図２のＡ−Ａ断面図である。
【図５】図４のＢ−Ｂ断面図である。
【図６】圧縮支持部材の斜視図である。
【図７】ストライク板が後退間隙を縮める方向へ変位した作用説明図である。
【図８】ストライク板が後退間隙を縮める方向及び下方向へ変位した作用説明図である。
【図９】従来の対震ストライクの概略斜視図である。
【符号の説明】
【００３５】
２１…ストライク板
２３…トロヨケ
２５…可動コア部材
２７…ピン係合穴
２９…脱落規制ピン
３１…圧縮支持部材
３１ａ…先端部
３１ｂ…係止爪部
３２…鰭状突起
３２ａ…曲面状部
３３…枠表面
３５…間隙
３６…後退間隙
３７…ストライク穴
３９…凹状箱部
３９ａ…底板部
４１，４３…固定鍔
７１…傾斜部
７３…縦縁部
７５…衝接座部
１００…対震ストライク
【図１】
0005038039.tif 000002
【図２】
0005038039.tif 000003
【図３】
0005038039.tif 000004
【図４】
0005038039.tif 000005
【図５】
0005038039.tif 000006
【図６】
0005038039.tif 000007
【図７】
0005038039.tif 000008
【図８】
0005038039.tif 000009
【図９】
0005038039.tif 000010